(57)【要約】【課題】本考案は、記録シートの端部のみに湿気を帯びた場合であっても、記録シートをベルトの搬送面上に一様に伸ばして載せることによって、画像品質の向上を図ることができる画像形成装置を提供することを目的とする。【解決手段】画像形成装置は、記録シート（用紙５１）を載せて搬送する搬送面７３Ａを有するベルト７３と、ベルト７３上の記録シートに画像を形成する画像形成部と、記録シートをベルト７３の搬送面７３Ａに向けて案内する案内部材１００と、を備えている。そして、案内部材１００は、先端部１１１，１２１において記録シートを挟持する一対の可撓性の案内板１１０，１２０を有している。【選択図】図２
0003167008.tif 000002
【実用新案登録請求の範囲】
【請求項１】
記録シートを載せて搬送する搬送面を有するベルトと、
前記ベルト上の記録シートに画像を形成する画像形成部と、
記録シートを前記ベルトの搬送面に向けて案内する案内部材と、を備えた画像形成装置であって、
前記案内部材は、
先端部において記録シートを挟持する一対の可撓性の案内板を有することを特徴とする画像形成装置。
【請求項２】
前記一対の案内板の先端部の中央部の挟持力よりも両端部の挟持力が小さくなるように、各先端部が形成されていることを特徴とする請求項１に記載の画像形成装置。
【請求項３】
前記一対の案内板のうち少なくとも１つの案内板の先端縁の中央部は、記録シートの搬送方向下流側に突出するように形成されていることを特徴とする請求項２に記載の画像形成装置。
【請求項４】
前記一対の案内板のうち上側に配置される上側案内板の先端縁の中央部が、前記搬送方向下流側に突出するように形成され、
前記一対の案内板のうち下側に配置される下側案内板の先端縁の両端部が、前記上側案内板よりも前記搬送方向下流側に突出するように形成されていることを特徴とする請求項３に記載の画像形成装置。
【請求項５】
前記下側案内板の先端縁の全てが、前記上側案内板の先端縁の中央部よりも前記搬送方向下流側に突出するように形成されていることを特徴とする請求項４に記載の画像形成装置。
【請求項６】
前記一対の案内板のうち下側に配置される下側案内板は、記録シートの搬送方向に直交する幅方向における中央部の先端側が、前記一対の案内板のうち上側に配置される上側案内板から離れるように凹状に形成されるとともに、
前記上側案内板と前記下側案内板とが、前記幅方向において前記凹状の部位を挟んだ両端部で接触するように構成されていることを特徴とする請求項１に記載の画像形成装置。
【請求項７】
前記各案内板の基端側を支持する支持部をさらに備え、
前記支持部のうち一方の先端縁が、他方の先端縁よりも記録シートの搬送方向下流側に突出するように形成されていることを特徴とする請求項１〜請求項６のいずれか１項に記載の画像形成装置。
【請求項８】
前記支持部のうち下側に配置される下側支持部の先端縁が、上側に配置される上側支持部の先端縁よりも記録シートの搬送方向下流側に突出するように形成されていることを特徴とする請求項７に記載の画像形成装置。
【考案の詳細な説明】
【技術分野】
【０００１】
本考案は、記録シートをベルトの搬送面に向けて案内する案内部材を備えた画像形成装置に関する。
【背景技術】
【０００２】
従来より、記録シートをベルトによって搬送しながら、そのベルトに対向するように配置されたプロセスユニット等の画像形成部によって記録シートに画像を形成する画像形成装置が提案されている。この種の画像形成装置では、ベルトの搬送面に記録シートを一様に伸ばして載せないと、記録シートに皺が生じて画像の一部が欠落する場合がある。
【０００３】
そこで、記録シートを斜め上方からベルトの搬送面に向けて案内する案内部材に、記録シート幅方向中央からベルトの搬送面側に向けて突出した突起を設けることが提案されている（特許文献１参照）。このような突起を設けると、記録シートは、その幅方向中央部が突起によって下方にあるベルト側へ押圧され、その幅方向中央部から幅方向両端部に向かって徐々にベルトの搬送面に当接する。このようにして記録シートの幅方向中央部がベルトの搬送面に先に当接した後、幅方向中央部側から幅方向両端部側に向けて徐々に記録シートが搬送面に当接すると、記録シートとベルトとの間に空気が入らず、ベルトの搬送面に記録シートを一様に伸ばして載せることができる。
【特許文献１】特開平９−１７５６８５号公報（段落００３５，００３６）
【考案の概要】
【考案が解決しようとする課題】
【０００４】
しかしながら、本願考案者は、湿度の高い環境（特に高温高湿環境）において多数枚重ねられた状態で長時間放置された記録シートが、上述の従来技術の装置において用いられると、画像品質が低下することを発見した。
【０００５】
つまり、湿度の高い環境において多数枚重ねられた状態で長時間放置された記録シートは、記録シートの中央部が乾いたままで、記録シートの端部のみが湿気を帯びた状態となる。このように端部のみが湿気を帯びた記録シートは、中央部の剛性（コシ）が端部の剛性よりも強くなる。
【０００６】
そのため、このような端部よりも中央部の剛性が強くなる記録シートがローラなどにより搬送されると、記録シートの幅方向中央部がローラ等により強く押し出されて幅方向両端部よりも搬送方向下流側に突出（先行）し、幅方向両端部に皺が発生することがあった。そして、このように幅方向中央部が先行した記録シートが案内部材に突入すると、先行した幅方向中央部が案内部材の突起でベルト側に押圧されることで、先行が助長され、幅方向両端部の皺の発生も助長されるといった問題があった。そのため、この状態の記録シートがベルトの搬送面に載せられると、記録シートとベルトの搬送面との間に隙間が形成され、その隙間から空気を十分に排除できず、画像品質が低下する可能性があった。
【０００７】
そこで、本考案は、記録シートの端部のみに湿気を帯びた場合であっても、記録シートをベルトの搬送面上に一様に伸ばして載せることによって、画像品質の向上を図ることができる画像形成装置を提供することを目的とする。
【課題を解決するための手段】
【０００８】
前記課題を解決する本考案は、記録シートを載せて搬送する搬送面を有するベルトと、前記ベルト上の記録シートに画像を形成する画像形成部と、記録シートを前記ベルトの搬送面に向けて案内する案内部材と、を備えた画像形成装置であって、前記案内部材は、先端部において記録シートを挟持する一対の可撓性の案内板を有することを特徴とする。
【０００９】
本考案によれば、一対の案内板の先端部で記録シートが挟持されるので、記録シートの皺が矯正された状態で、記録シートがベルトの搬送面に案内される。この結果、記録シートとベルトの搬送面との間に空気が溜まることがないので、画像品質を向上させることができる。
【考案の効果】
【００１０】
本考案によれば、記録シートの端部のみに湿気を帯びた場合であっても、一対の案内板の先端部で記録シートを挟持することで記録シートの皺が矯正されるので、記録シートをベルトの搬送面上に一様に伸ばして載せることができ、画像品質を向上させることができる。
【図面の簡単な説明】
【００１１】
【図１】本考案の一実施形態に係る画像形成装置の一例としてのカラーレーザプリンタの全体構成を示す要部断面図である。
【図２】案内部材を示す断面図（ａ）と、案内部材を図２（ａ）のＸ方向から見た矢視図（ｂ）である。
【図３】案内板の変形例を示す図であり、上側案内板が段付きの凸形状に形成された形態を示す矢視図（ａ）と、図３（ａ）の上側案内板の幅方向両端部に複数の突出片を設けた形態を示す矢視図（ｂ）と、下側案内板を上側案内板の幅方向中央部よりも搬送方向下流側へ突出させた形態を示す矢視図（ｃ）である。
【図４】下側案内板を下方に凹ませた形態を示す矢視図（ａ）と、図４（ａ）のＹ−Ｙ断面図（ｂ）である。
【図５】図４の下側案内板の変形例を示す断面図である。
【図６】上側案内板に除電ブラシを設けた形態を示す断面図である。
【図７】上側支持部の先端を下側支持部の先端よりも搬送方向下流側に突出させた形態を示す断面図である。
【考案を実施するための形態】
【００１２】
次に、本考案の一実施形態について、適宜図面を参照しながら詳細に説明する。参照する図面において、図１は、本考案の一実施形態に係る画像形成装置の一例としてのカラーレーザプリンタの全体構成を示す要部断面図である。なお、以下の説明においては、まず、カラーレーザプリンタの全体構成を説明した後、本考案の特徴部分の詳細を説明することとする。
【００１３】
＜カラーレーザプリンタの全体構成＞
図１に示すように、カラーレーザプリンタ１は、本体２内に記録シートの一例としての用紙５１を供給する給紙部５や、給紙された用紙５１に画像を形成する画像形成部６などを備えている。
【００１４】
なお、以下の説明において、特に断りがないかぎり図１に示した上下方向を上下、図１における左側を手前、右側を奥、紙面の奥側を左、紙面の手前側を右として、各方向を示す。ここでの左右は、カラーレーザプリンタ１の手前側に立った者から見た方向を基準として規定してある。
【００１５】
＜給紙部の構成＞
給紙部５は、本体２に着脱自在に装着される給紙トレイ５０と、給紙トレイ５０から用紙５１を画像形成部６へ搬送する用紙供給機構５８とからなる。
【００１６】
用紙供給機構５８は、給紙トレイ５０の手前側端部に設けられた、給紙ローラ５２、分離ローラ５３、分離パッド５４などからなり、これらにより用紙５１が一枚ずつ分離されて上方へ送られる。上方へ向けて搬送された用紙５１は、紙粉取りローラ５５とピンチローラ５６の間を通過する過程で紙粉が除去された後、搬送経路５７を通って奥側へ方向転換され、案内部材１００内を通ってベルト７３の上に供給される。なお、案内部材１００については後で詳述することとする。
【００１７】
＜画像形成部の構成＞
画像形成部６は、スキャナ部６１、プロセス部６２、転写部６３および定着部６４を備えている。
【００１８】
スキャナ部６１は、本体２の上部に設けられており、図示はしないが、レーザ発光部、ポリゴンミラー、複数のレンズおよび反射鏡を備えている。スキャナ部６１では、シアン、マゼンタ、イエロー、ブラックの各色に対応させてレーザ発光部から発光されるレーザ光をポリゴンミラーで左右方向に高速で走査させ、複数のレンズおよび反射鏡を通過または反射させた後各感光ドラム３１に照射している。
【００１９】
プロセス部６２は、スキャナ部６１と転写部６３の間に配置されており、複数（４つ）のドラムサブユニット３０と、各ドラムサブユニット３０に対応して設けられる複数の現像カートリッジ４０とを備えている。ドラムサブユニット３０は、感光ドラム３１およびスコロトロン型帯電器（符号略）などを備え、現像カートリッジ４０は、現像ローラ（符号略）などを備えている。
【００２０】
そして、このプロセス部６２では、スキャナ部６１から出射されるレーザ光によって、感光ドラム３１上に画像データに基づく静電潜像が形成され、この静電潜像に前述の現像ローラよりトナーが供給されることで、感光ドラム３１上にトナー像が担持される。
【００２１】
転写部６３は、駆動ローラ７１、従動ローラ７２、ベルト７３、転写ローラ７４およびクリーニング部７５を備えている。
【００２２】
駆動ローラ７１および従動ローラ７２は、離間して平行に配置され、これらの間にエンドレスベルトからなるベルト７３が巻き掛けられている。ベルト７３は、その外側の面が各感光ドラム３１に接している。そして、ベルト７３の内側には各感光ドラム３１との間でベルト７３を挟み込む転写ローラ７４が配置されている。転写ローラ７４には、図示しない高圧基板から転写バイアスが印加される。画像形成時には、ベルト７３により搬送されてきた用紙５１が感光ドラム３１と転写ローラ７４にベルト７３を介して挟まれて、感光ドラム３１上のトナー像が用紙５１に転写される。
【００２３】
クリーニング部７５は、ベルト７３の下方に配置され、ベルト７３に付着したトナーを除去し、その下方に配置されたトナー貯留部７６に除去したトナーを落下させるようになっている。
【００２４】
定着部６４は、加熱ローラ８１および加圧ローラ８２を備えている。そして、定着部６４では、用紙５１上に転写されたトナーを、用紙５１が加熱ローラ８１と加圧ローラ８２との間を通過する間に熱定着させている。なお、定着部６４で熱定着された用紙５１は、排紙ローラ９２によって排紙トレイ９３上に送り出される。
【００２５】
＜案内部材の構造＞
次に、本考案の特徴部分となる案内部材１００の構造について説明する。参照する図面において、図２は、案内部材を示す側面図（ａ）と、案内部材を図２（ａ）のＸ方向から見た矢視図（ｂ）である。なお、以下の説明では、用紙５１の搬送方向と直交する方向であって用紙５１の端縁に沿って延びる方向（すなわち左右方向）を、幅方向とも呼ぶ。
【００２６】
図２（ａ）に示すように、案内部材１００は、用紙５１をベルト７３の搬送面７３Ａに向けて案内する部材であり、上下に並んだ一対の案内板１１０，１２０と、上下に並んだ一対の支持部１３０，１４０とを備えて構成されている。
【００２７】
一対の案内板１１０，１２０は、可撓性のシート部材であり、先端部１１１，１２１が所定量だけはみ出すように一対の支持部１３０，１４０で基端部１１２，１２２を含む部分が支持されることによって、先端部１１１，１２１が撓み変形可能な自由端となっている。そして、一対の案内板１１０，１２０は、それぞれの先端部１１１，１２１で用紙５１を挟持するために、それぞれの先端部１１１，１２１のみを当接させたＶ字状となるように配置されている。
【００２８】
一対の案内板１１０，１２０は、図２（ｂ）に示すように、それぞれの幅（左右方向の長さ）が用紙５１の幅よりも大きくなるように形成されている。そして、一対の案内板１１０，１２０のうち上側に配置される案内板１１０（以下、「上側案内板１１０」ともいう。）の先端縁１１３は、その幅方向中央部が搬送方向下流側に突出するような略円弧状に形成されている。これに対し、一対の案内板１１０，１２０のうち下側に配置される案内板１２０（以下、「下側案内板１２０」ともいう。）の先端縁１２３は、幅方向に沿った直線状に形成されるとともに、上側案内板１１０の先端縁１１３の幅方向中央部と一致する位置に配置されている。これにより、下側案内板１２０の先端縁１２３の両端部が、上側案内板１１０の先端縁１１３の両端部よりも搬送方向下流側に突出している。
【００２９】
図２（ａ）に示すように、一対の支持部１３０，１４０は、それぞれ上下に配置されるとともに、それらの間の間隔が搬送方向下流側に向かうにつれて徐々に狭まるようなハ字状に配置されている。そして、これらの支持部１３０，１４０のうち下側に配置される支持部１４０（以下、「下側支持部１４０」ともいう。）の先端縁１４１は、上側に配置される支持部１３０（以下、「上側支持部１３０」ともいう。）の先端縁１３１よりも搬送方向下流側に突出するように形成されている。そのため、下側支持部１４０で支持される下側案内板１２０が、上側支持部１３０で支持される上側案内板１１０よりも撓み難くなっている。
【００３０】
なお、支持部１３０，１４０は、四角い筒状の部品の対向する部分として一体に形成されていてもよいし、板状の部品でそれぞれ１枚ずつ別々に構成されていてもよい。
【００３１】
次に、本実施形態に係る案内部材１００の作用について説明する。
【００３２】
図２（ａ）に示すように、給紙部５から送られてくる用紙５１は、まず、上側案内板１１０の基端部１１２付近に当接した後、上側案内板１１０の下面に沿って搬送される。その後、用紙５１は、一対の案内板１１０，１２０の先端部１１１，１２１で挟持される。そのため、用紙５１に皺が発生していた場合には、一対の案内板１１０，１２０で挟持されることにより、皺が伸ばされることとなる。
【００３３】
なお、用紙５１の幅方向両端部のみが湿気を帯びている場合には、用紙５１の幅方向中央部が搬送方向下流側へ突出するように先行して用紙５１が搬送される。しかし、このように用紙５１の幅方向中央部が先行した場合には、この先行した幅方向中央部は、図２（ｂ）に示すように、搬送方向下流側へ突出する上側案内板１１０の幅方向中央部と下側案内板１２０とで挟持されることでブレーキ（摩擦力）がかけられる。一方、用紙５１の幅方向中央部よりも遅れていた幅方向両端部は、上側案内板１１０の両端部が下側案内板１２０の両端部よりも搬送方向上流側に位置することにより、挟持によるブレーキが早い段階で解除されるので、ブレーキがかけられている用紙５１の幅方向中央部に追いつくように搬送される。そのため、先行していた用紙５１の幅方向中央部と、遅れていた用紙５１の幅方向両端部とが揃えられてベルト７３に搬送される。
【００３４】
以上によれば、本実施形態において以下のような効果を得ることができる。
【００３５】
一対の案内板１１０，１２０の先端部１１１，１２１で用紙５１を挟持するので、用紙５１の端部のみに湿気を帯びた場合であっても、用紙５１の皺を伸ばすことができ、用紙５１をベルト７３の搬送面７３Ａ上で一様に伸ばして画像品質の向上を図ることができる。
【００３６】
上側案内板１１０の幅方向中央部が搬送方向下流側へ突出するので、用紙５１の幅方向中央部が先行して搬送される場合には、その幅方向中央部を下側案内板１２０との間で挟持して幅方向中央部にブレーキをかけることができる。そのため、用紙５１の先端をベルト７３への搬送前に揃えることができるので、幅方向中央部の先行による皺の発生を抑えて、画像品質の向上を図ることができる。
【００３７】
上側案内板１１０の幅方向中央部が搬送方向下流側へ突出するとともに、下側案内板１２０の幅方向両端部が上側案内板１１０の幅方向両端部よりも搬送方向下流側へ突出しているので、用紙５１の幅方向両端部が下側案内板１２０の幅方向両端部で支持されて、用紙５１の幅方向両端部の垂れ下がりが抑制される。そのため、用紙５１の幅方向両端部がベルト７３に先に当接することによって用紙５１の幅方向中央部とベルト７３との間に空気が溜まってしまうといった現象が発生し難くなり、画像品質の向上を図ることができる。
【００３８】
下側支持部１４０の先端縁１４１が上側支持部１３０の先端縁１３１よりも搬送方向下流側に突出するように形成されることで、下側支持部１４０で支持される下側案内板１２０が上側支持部１３０で支持される上側案内板１１０よりも撓み難くなるので、この撓み難くなった下側案内板１２０によって用紙５１のベルト７３への突入方向（搬送方向）を一定にすることができる。さらに、下側案内板１２０が撓み難くなっているため、重力で垂れ下がる用紙５１を下側案内板１２０で確実に支持することができ、用紙５１の搬送方向を確実に定めることができる。
【００３９】
なお、本考案は前記実施形態に限定されることなく、以下に例示するように様々な形態で利用できる。
【００４０】
前記実施形態では、上側案内板１１０の先端縁の１１３の幅方向中央部を搬送方向下流側に突出させたが、本考案はこれに限定されず、一対の案内板のうち少なくとも１つの案内板の先端縁の幅方向中央部を搬送方向下流側に突出させればよい。すなわち、前記実施形態において、下側案内板１２０の先端縁１２３の幅方向中央部のみを搬送方向下流側に突出させてもよいし、一対の案内板１１０，１２０の各先端縁１１３，１２３の幅方向中央部をともに搬送方向下流側に突出させてもよい。
【００４１】
前記実施形態では、上側案内板１１０の先端縁１１３を略円弧状に形成したが、本考案はこれに限定されず、三角形状等、どのような形状としてもよい。例えば、図３（ａ）に示すように、上側案内板２１０の幅方向両端部を矩形に切り欠いたような形状、すなわち、上側案内板２１０の先端縁２１３の幅方向中央部２１３Ａが先端縁２１３の幅方向両端部２１３Ｂよりも搬送方向下流側へ突出するような段付きの凸形状に形成してもよい。
【００４２】
また、例えば、図３（ｂ）に示すように、図３（ａ）と同構造となる上側案内板２１０の先端縁２１３の幅方向両端部２１３Ｂから部分的に搬送方向下流側へ突出する所定数の突出片２１４を設けてもよい。言い換えると、この上側案内板２１０は、矩形のシート状部材の幅方向両端部に切り欠きを形成した形状となっている。そのため、この構造によれば、一対の案内板２１０，１２０の幅方向中央部の挟持力と幅方向両端部の挟持力とに差を付けることができるので、用紙の幅方向中央部の先行を規制することができる。
【００４３】
前記実施形態では、下側案内板１２０の先端縁１２３を上側案内板１１０の先端縁１１３の幅方向中央部に一致させたが、本考案はこれに限定されず、図３（ｃ）に示すように、下側案内板２２０の先端縁２２３を、上側案内板１１０の先端縁１１３の幅方向中央部よりも搬送方向下流側に突出させてもよい。これによれば、用紙５１が上側案内板１１０の先端縁１１３を通過した後においても、この上側案内板１１０の先端縁１１３よりも搬送方向下流側に突出した下側案内板２２０によって支持されるので、用紙５１の先端部が重力により垂れ下がることが抑制される。したがって、用紙５１を良好な角度でベルト７３に突入させることができる。
【００４４】
前記実施形態では、上側案内板１１０の先端縁１１３を略円弧状に形成したが、本考案はこれに限定されず、一対の案内板をともに矩形のシート状に形成してもよい。この場合であっても、用紙の皺を良好に伸ばすことができるので、画像品質の向上を図ることができる。
【００４５】
また、この場合には、図４（ａ）および（ｂ）に示すように、上側案内板３１０および下側案内板３２０を矩形のシート状に形成するとともに、下側案内板３２０の幅方向中央部の先端側の部位３２１を、上側案内板３１０から離れるような凹状に形成するのが望ましい。この構造によれば、上側案内板３１０と下側案内板３２０とが、幅方向において凹状の部位３２１を挟んだ両端部３１２，３２２で接触する。
【００４６】
そのため、一対の案内板３１０，３２０の先端部において、用紙５１の幅方向中央部が重力により下方に垂れ下がるとともに、用紙５１の幅方向両端部が一対の案内板３１０，３２０の両端部３１２，３２２で挟持される。これにより、用紙５１の幅方向両端部の皺が一対の案内板３１０，３２０の両端部３１２，３２２で良好に伸ばされるとともに、用紙５１の幅方向中央部が幅方向両端部よりもベルト７３に先に当接して、幅方向中央部から幅方向両端部に向けて順に用紙５１がベルト７３に当接していく。そのため、用紙５１とベルト７３との間に空気が入らずに、ベルト７３の搬送面７３Ａに用紙５１を一様に伸ばして載せることができる。
【００４７】
なお、前述した効果を得るには、図５に示すように、下側案内板４２０を、幅方向中央部４２１から幅方向両端部４２２に向かうにつれて上方に傾斜する略Ｖ字形状に形成し、上側案内板４１０の幅方向両端部４１２を下側案内板４２０の幅方向両端部４２２に沿うように折り曲げてもよい。この場合には、用紙５１が下側案内板４２０の上面に沿って湾曲するので、より確実に用紙５１を幅方向中央部から幅方向両端部に向けて順にベルト７３に当接させることができる。
【００４８】
また、図６に示すように、上側案内板１１０の上面に接触するように除電ブラシ５００を設けてもよい。これによれば、除電ブラシ５００により一対の案内板１１０，１２０で挟持された用紙５１の電荷が除去されるので、用紙５１が静電気によってベルト７３に張り付くことで用紙５１に皺が発生するのを抑制することができる。
【００４９】
なお、除電ブラシ５００を接触させる部位としては、上側案内板１１０に限らず、下側案内板１２０や一対の支持部１３０，１４０のいずれかであってもよい。また、除電する手段としては、除電ブラシ５００に限らず、ＳＵＳ等の金属製の除電子を用いてもよい。
【００５０】
前記実施形態では、下側支持部１４０の先端縁１４１を上側支持部１３０の先端縁１３１よりも搬送方向下流側に突出させたが、本考案はこれに限定されず、図７に示すように、上側支持部６３０の先端縁６３１を下側支持部６４０の先端縁６４１よりも搬送方向下流側に突出させてもよい。この場合、上側案内板１１０が下側案内板１２０よりも撓み難くなるので、この撓み難くなった上側案内板１１０によって用紙５１のベルト７３への突入方向（搬送方向）を一定にすることができる。
【００５１】
前記実施形態では、カラーレーザプリンタ１に本考案を適用したが、本考案はこれに限定されず、その他の画像形成装置、例えば複写機や複合機などに本考案を適用してもよい。
【００５２】
前記実施形態では、記録シートの一例として、厚紙、はがき、薄紙などの用紙５１を採用したが、本考案はこれに限定されず、例えばＯＨＰシートであってもよい。
【符号の説明】
【００５３】
１      カラーレーザプリンタ
６      画像形成部
５１    用紙
７３    ベルト
７３Ａ  搬送面
１００  案内部材
１１０  上側案内板
１１１  先端部
１１２  基端部
１１３  先端縁
１２０  下側案内板
１２３  先端縁
１３０  上側支持部
１３１  先端縁
１４０  下側支持部
１４１  先端縁
【図１】
0003167008.tif 000003
【図２】
0003167008.tif 000004
【図３】
0003167008.tif 000005
【図４】
0003167008.tif 000006
【図５】
0003167008.tif 000007
【図６】
0003167008.tif 000008
【図７】
0003167008.tif 000009